(57)【要約】【課題】揚送作業を円滑に行い、かつ作業性を向上させるコンバインを提供する。【解決手段】脱穀して得られた穀粒をグレンタンク３０へ揚送する揚穀コンベア（バケット式昇降機）１４４と、グレンタンク３０の穀粒投入口３０８に穀粒をグレンタンク３０内に飛散させるレべリングディスク３０９とを備え、バケット式昇降機１４４内上部の後板３００の頂部であって、穀粒排出口３０７に有する喰切り部３０７ａに回転軸３１０を備え、揚穀コンベア１４４内の上部に有するプーリ３０３ａの回転により、プーリ３０３ａおよび回転軸３１０の端部に設けられた固定テンション３１０ａに巻装されるベルト３１２によって回転軸３１０を回転させる。【選択図】図６
2007151448.tif 000002
【特許請求の範囲】
【請求項１】
脱穀して得られた穀粒をグレンタンクへ揚送する揚穀コンベアを備えるコンバインにおいて、
前記揚穀コンベア内上部の後板の頂部であって、穀粒排出口に有する喰切り部に回転軸を備えることを特徴とするコンバイン。
【請求項２】
脱穀して得られた穀粒をグレンタンクへ揚送する揚穀コンベアと、
前記グレンタンクの穀粒投入口に穀粒をグレンタンク内に飛散させるレべリングディスクとを備えるコンバインにおいて、
前記揚穀コンベア内上部の後板の頂部であって、穀粒排出口に有する喰切り部に回転軸を備え、前記回転軸の端部に設けられた固定テンションに巻装されるベルトにより前記回転軸を回転させることを特徴とするコンバイン。
【請求項３】
前記揚穀コンベア内の上部に有するプーリの回転により、前記プーリに巻装される前記ベルトで前記回転軸を回転させることを特徴とする、請求項１または２に記載のコンバイン。
【発明の詳細な説明】
【技術分野】
【０００１】
本発明は、脱穀して得られた穀粒をバケットで揚穀移送する汎用コンバインの揚穀コンベアにおいて、グレンタンクへの穀粒排出を円滑に行いうる装置に関する。
【背景技術】
【０００２】
従来のコンバインには、機体前部に備える刈取装置で刈り取った穀稈を機体上部に備える脱穀装置等で脱穀して得られた穀粒を、揚穀コンベアで揚送してグレンタンクの上部から投入する際、図８に示すように揚穀コンベア４００のチェーン４０１が巻回される上部スプロケット４０２の軸心位置より下方にガイド板４０３の下先端部を配置するので、穀粒をレべリングディスク４０４上に落下させやすくなり、このレべリングディスク４０４により穀粒が飛散され、グレンタンク４０５内の穀粒充填率が向上するというものがある（特許文献１）。
【０００３】
【特許文献１】特開２００４−２７５０５３号公報
【発明の開示】
【発明が解決しようとする課題】
【０００４】
しかし、このような従来のコンバインの揚穀コンベアでは、穀粒を揚穀コンベア４００のバケット４０６で揚穀し、グレンタンク４０５内に投入する際、揚穀コンベア４００上部に有する、穀粒排出口の側面視略三角形状の喰切り部４０７上に泥や小屑等が堆積して、それらが壁となり、バケット４０６から排出された穀粒をグレンタンク４０５内に落下させることができず穀粒を移送できないほか、揚穀コンベア内での穀粒循環が増加し、穀粒の損傷や揚穀装置の詰まりによる揚穀コンベアの部品損傷等が発生するという問題があった。そのため定期的に揚穀コンベアを分解し、整備点検する必要があることから、作業性が低下していた。
そこでこの発明の目的は、揚送作業を円滑に行い、かつ作業性を向上させるコンバインを提供することにある。
【課題を解決するための手段】
【０００５】
このため請求項１に記載の発明は、脱穀して得られた穀粒をグレンタンクへ揚送する揚穀コンベアを備えるコンバインにおいて、前記揚穀コンベア内上部の後板の頂部であって、穀粒排出口に有する喰切り部に回転軸を備えることを特徴とする。
【０００６】
請求項２に記載の発明は、脱穀して得られた穀粒をグレンタンクへ揚送する揚穀コンベアと、前記グレンタンクの穀粒投入口に穀粒をグレンタンク内に飛散させるレべリングディスクとを備えるコンバインにおいて、前記揚穀コンベア内上部の後板の頂部であって、穀粒排出口に有する喰切り部に回転軸を備え、前記回転軸の端部に設けられた固定テンションに巻装されるベルトにより前記回転軸を回転させることを特徴とする。
【０００７】
請求項３に記載の発明は、請求項１または２に記載のコンバインにおいて、前記揚穀コンベア内の上部に有するプーリの回転により、前記プーリに巻装される前記ベルトで前記回転軸を回転させることを特徴とする。
【発明の効果】
【０００８】
請求項１に記載の発明によれば、脱穀して得られた穀粒をグレンタンクへ揚送する揚穀コンベアを備えるコンバインにおいて、揚穀コンベア内上部の後板の頂部であって、穀粒排出口に有する喰切り部に回転軸を備えるので、喰切り部上に泥や小屑等の堆積を防止することができる。その結果、揚送作業を円滑に行い、かつ作業性を向上させることができる。
【０００９】
請求項２に記載の発明によれば、脱穀して得られた穀粒をグレンタンクへ揚送する揚穀コンベアと、グレンタンクの穀粒投入口に穀粒をグレンタンク内に飛散させるレべリングディスクとを備えるコンバインにおいて、揚穀コンベア内上部の後板の頂部であって、穀粒排出口に有する喰切り部に回転軸を備え、回転軸の端部に設けられた固定テンションに巻装されるベルトにより回転軸を回転させるので、喰切り部上に泥や小屑等の堆積を防止することができる。その結果、揚送作業を円滑、かつ確実に行い、作業性を向上させることができる。
【００１０】
請求項３に記載の発明によれば、揚穀コンベア内の上部に有するプーリの回転により、プーリに巻装されるベルトで回転軸を回転させるので、回転軸を回転させる動力を揚穀コンベアを周回させる回転軸に近い位置に有するプーリから得ることができる。その結果、使用する部品点数を抑えて揚送作業を効率的、かつ確実に行うことができる。
【発明を実施するための最良の形態】
【００１１】
以下図面を参照しつつ本発明を実施するための最良の形態について説明する。
図１は汎用コンバインの全体側面図、図２は汎用コンバインの全体平面図、図３は汎用コンバインの正面図である。
【００１２】
クローラ式走行装置１上に機枠フレーム１３が搭載され、機枠フレーム１３上に脱穀部１８、選別装置１９及びエンジン２６等を収納するエンジンルーム３３が載置固定され、脱穀部１８上にはグレンタンク３０が配置され、このグレンタンク３０側部にはその内部に貯留された穀粒を排出する排出オーガ２３及び回動オーガ４０が配置されている。また、機枠フレーム１３より前方に刈取部８が突出されている。
【００１３】
刈取部８はプラットホーム２内に横送りオーガ３を左右方向に収納し、回転駆動することによって、穀稈を略左右中央に集めるようにしている。プラットホーム２前端下部には刈刃４が横設され、この刈刃４の前上方には掻込リール５が配設されている。プラットホーム２の両側の後部上に昇降リンク６の後部が枢支され、昇降リンク６の前端に掻込リール５が回転自在に支持され、油圧モータ等によって掻込リール５が回転駆動される。また、プラットホーム２の両側前端には分草体７が配設されている。
【００１４】
刈取部８と脱穀部１８との間には搬送装置９が配置され、この搬送装置９は、フィーダハウス１０内にコンベア１１が収納され、プラットホーム２の後部左右中心よりやや進行方向に対して左側寄りで、横送りオーガ３のスクリュー羽根の送り終端位置に合わせてフィーダハウス１０の前端が連通されている。さらにフィーダハウス１０の終端は、脱穀入口１２に連通されており、この脱穀入口１２には左右水平方向に回転軸心を有する円筒状のビータ３４が配置され、穀稈を強制的に脱穀部１８へ送るようにしている。フィーダハウス１０の後部は機枠フレーム１３に昇降回動自在に支持されている。
【００１５】
フィーダハウス１０は機体左右中央の上方位置に配置されたキャビン１７中央の運転席１５より平面視左側に偏位して配設され、フィーダハウス１０の下面と機枠フレーム１３との間には図示せぬ油圧シリンダを介装して、刈取部８を昇降可能にしている。また、キャビン１７は機体左右中央の上方位置に配置されているので、視界を良好として、刈取作業を確認しやすくし、左右両側より乗り降りできるようにしている。そして、フィーダハウス１０、ビータ３４及び脱穀入口１２は、機体の進行方向に向かって左側寄りに設けられ、脱穀入口１２は第１ロータ（前ロータ）２１の左前部に配置して、穀稈を第１ロータ２１の回動によって右方へ搬送するようにしている。
【００１６】
脱穀部１８は、左右に軸心を有する第１ロータ（前ロータ）２１と第２ロータ（後ロータ）２２よりなるロータ部２０からなり、機枠フレーム１３上部に収納されており、選別装置１９後部上方の空間を利用してエンジンルーム３３を設けることができ、効率良く配置される。また、脱穀部１８下方には選別装置（揺動選別装置）１９が配置され、その構造は、流穀板２５、揺動本体３５、選別風を発生させる唐箕２７、選別された一番物を左右方向に搬送する一番コンベア２８と、二番物を搬送する二番コンベア３１等より構成されている。
【００１７】
一番コンベア２８及び二番コンベア３１は、側面視でクローラ式走行装置１の後方に横設され、一番コンベア２８の左端部に連接して縦状に配した後述するバケット式の揚穀コンベア１４４や、一番コンベア２８の左端部に連接される還元コンベア３２とクローラ式走行装置１が干渉することない効率的なレイアウトとされる。さらに、選別装置１９は機枠フレーム１３の前後途中部より後部の間に収納され、選別装置１９前方の機枠フレーム１３前部とフィーダハウス１０後方位置に機体走行用のミッション装置１４が配置でき、効率の良いレイアウトとして全長を短くすることができる。
【００１８】
揺動本体３５は、第１ロータ２１前端の下方より選別装置１９の後端までに亘って配置され、揺動リンク機構３６によって揺動自在に支持されている。揺動本体３５前部には、第１ロータ２１と第２ロータ２２の下方に亘って落下した穀稈を受けるグレーンパン３５ａが形成されている。また、選別装置１９後部の途中までガイドプレート３７が延出され、このガイドプレート３７後部上方とエンジンルーム３３底面との間には、強制的に排稈を後方に送り出す排稈ビータ３８が設けられている。
【００１９】
排稈ビータ３８は、第１ロータ２１、第２ロータ２２の外径より小さく、コンパクトで組立容易な形状とし、排稈ビータ３８の回転速度を第２ロータ２２の回転速度より速くして排稈ビータ３８の周速度を第１ロータ２１および第２ロータ２２同等以上の速さとし、排稈を後方に送り出す性能を高めている。また、排稈ビータ３８は、左右に回動軸を有する筒体であり、排出口２４より排出された排稈を後方に左右幅広く搬送して、機体後端部に左右全般に亘って横架されたチッパー式のスプレッダ３９の複数の鉈状の刃によって切断され、機体後端部より排出される。このように、排出口２４より落下された排稈が排稈ビータ３８によって後方に強制的に送り出されて、排稈を選別装置１９上に落下させることがないようにし、選別装置１９での選別性能を低下させることがないものである。
【００２０】
このようにして、圃場に植立した穀稈を掻込リール５により掻き込むとともに、刈刃４によって穀稈の根元部分を刈り取り、プラットホーム２で寄せ集められた穀稈がコンベア１１とビータ３４とで後部の脱穀部１８へ搬送される。そしてこれら穀稈は、第１ロータ２１の側面視左端から右端へ、次に第２ロータ２２の左端から右端へと順に移送されながら脱穀処理され、自重により落下した穀粒はグレーンパン３５ａを介して選別装置１９へ移送される。
【００２１】
選別装置１９で揺動選別された穀粒は、一番コンベア２８から揚穀コンベア１４４を介してグレンタンク３０に貯粒され、排出オーガ２３及び回動オーガ４０によって機外に搬出される。そして、揺動選別された脱穀不十分である穀粒は、二番コンベア３１により第１ロータ２１に還元して、再度脱穀される。また、脱穀処理された後、排出口２４より落下された排稈は、排稈ビータ３８によってスプレッダ３９に搬送され、細断された後、機外へ排出される。
【００２２】
次に、本発明である揚穀コンベアの構成について詳述する。図４は、図１の揚穀コンベア１４４とグレンタンク３０入口付近を拡大した右側面から見た内部模式図である。この例の揚穀コンベア（バケット式昇降機）１４４は、後板３００と前板３０１および左右側板３０２により形成され、バケット式昇降機１４４内部の上部と下部には軸心が左右方向のプーリ３０３，３０４がそれぞれ設けられ、このプーリ３０３と３０４に無端状のベルト（チェーン）３０５が巻装される。このベルト３０５には適宜間隔を開けて複数の上開き側面視略Ｕ字型などのバケット３０６が取り付けられる。
【００２３】
一番コンベア２８の駆動力は、バケット式昇降機１４４の下部に有するプーリ３０４に伝達（詳細不図示）され、このプーリ３０４の回転とともにベルト３０５が駆動し、バケット式昇降機１４４の上部に有するプーリ３０３が回転するので、バケット式昇降機１４４の下部に備えられた不図示の穀粒供給口からバケット式昇降機１４４の上部に備えられた穀粒排出口３０７の上下間をベルト３０５に沿ってバケット３０６が周回される。
【００２４】
そして、バケット式昇降機１４４内上部の穀粒排出口３０７に有する後板３００の頂部である喰切り部３０７ａには、側面視円形など筒型の回転軸３１０が設けられる。この回転軸３１０は、喰切り部３０７ａ両端に有する不図示の軸受などで固設されており、背面（左側面）側に延設される回転軸３１０の端部には、後述する固定テンションが設けられる。
【００２５】
図５は、バケット式昇降機１４４上部の左側面図であり、動力伝達の構成を示している。プーリ３０３の背面にプーリ３０３と連設されるプーリ３０３ａと、回転軸３１０の端部に設けられた固定テンション３１０ａの間には、可動テンション３１１ｂを介してベルト３１２が巻回される。
【００２６】
ここで、グレンシーブ１３７を通過して下方に落下し、一番回収部１４６に回収された穀粒は、ベルト３０５とともに連続的に周回する複数のバケット３０６により掬われて上昇し、上部のプーリ３０３の外周に沿ってそれぞれのバケット３０６が上昇方向から下降方向に反転したところで穀粒が放擲されて穀粒排出口３０７より排出される。
【００２７】
このとき、プーリ３０３に連設されるプーリ３０３ａが回転するため、ベルト３１２が駆動することから、固定テンション３１０ａも回転する結果、回転軸３１０が左側面視半時計周り（ベルト３１２およびバケット３０６と同じ方向）に回転するため、喰切り部３０７ａである回転軸３１０上に泥や小屑、穀粒などが堆積しないので、それらが回転軸３１０上に壁を形成することなく、バケット３０６内の穀粒がグレンタンク１３内に円滑に排出される。
【００２８】
以上詳述したように、この例のコンバインは、脱穀して得られた穀粒をグレンタンク３０へ揚送する揚穀コンベア（バケット式昇降機）１４４を備え、バケット式昇降機１４４内上部の後板３００の頂部であって、穀粒排出口３０７に有する喰切り部３０７ａに回転軸３１０を備える。加えて、揚穀コンベア１４４内の上部に有するプーリ３０３ａの回転により、プーリ３０３ａに巻装されるベルト３１２で回転軸３１０を回転させるものである。
【００２９】
図６は、回転軸３１０を構成するバケット式昇降機１４４の別の例を示す右側面から見た内部模式図である。この場合、グレンタンク３０の穀粒投入口３０８には、レべリングディスク３０９を備えており、このレべリングディスク３０９を回転させることで、穀粒投入口３０８から投入される穀粒をグレンタンク３０の内部全体へ飛散できるようにしている。
【００３０】
図７は、上記同様にバケット式昇降機１４４上部の左側面図であり、動力伝達の構成を示している。プーリ３０３の背面にプーリ３０３と連設されるプーリ３０３ａと、回転軸３１０の端部に設けられた固定テンション３１０ａ、およびレべリングディスク３０９下部に設けられるプーリ３０９ａの間には、固定テンション３１１ａと可動テンション３１１ｂを介してベルト３１２が巻回される。
【００３１】
そして、プーリ３０３に連設されるプーリ３０３ａが回転するため、ベルト３１２が駆動することから、固定テンション３１０ａも回転する結果、回転軸３１０が左側面視半時計周り（ベルト３１２およびバケット３０６と同じ方向）に回転するため、喰切り部３０７ａである回転軸３１０上に泥や小屑、穀粒などが堆積しないので、それらが回転軸３１０上に壁を形成することがなく、バケット３０６内の穀粒がレべリングディスク３０９上に円滑に排出される。
【００３２】
さらに、ベルト３１２によりプーリ３０９ａを回転させているので、レべリングディスク３０９が回転し、このレべリングディスク３０９上に排出された穀粒を飛散させ、グレンタンク１３内部全体に偏ることなく充填させることが可能となる。また、一番コンベア２８の駆動力がプーリ３０４およびプーリ３０３を介し、ベルト３１２に伝わることで、新たな駆動源を必要とせずレべリングディスク３０９および回転軸３１０を廻すことができる。
【００３３】
以上詳述したように、この例のコンバインは、脱穀して得られた穀粒をグレンタンク３０へ揚送する揚穀コンベア（バケット式昇降機）１４４と、グレンタンク３０の穀粒投入口３０８に穀粒をグレンタンク３０内に飛散させるレべリングディスク３０９とを備え、バケット式昇降機１４４内上部の後板３００の頂部であって、穀粒排出口３０７に有する喰切り部３０７ａに回転軸３１０を備え、揚穀コンベア１４４内の上部に有するプーリ３０３ａの回転により、プーリ３０３ａおよび回転軸３１０の端部に設けられた固定テンション３１０ａに巻装されるベルト３１２によって回転軸３１０を回転させるものである。
【００３４】
なお、回転軸３１０の形状は、側面視円形の筒型に限定されず、側面視三角形や六角形などの筒型で、回転軸上に泥などが堆積しずらい形状であればよい。また、バケット３０６の形状は、上開き側面視略Ｕ字型に限定されることなく、上開き側面視略Ｖ字型など穀粒を揚送できる形状であればよい。
【００３５】
また、バケット式昇降機１４４の駆動源は、一番コンベア２８からの駆動力に限定されることなく、このバケット式昇降機１４４の上部に図示しないモータを設け、このモータに連動されるプーリ３０３の回転により、ベルト３０５やベルト３１２を周回させてもよい。
【図面の簡単な説明】
【００３６】
【図１】本発明のコンバインの一例を示す全体側面図である。
【図２】図１のコンバインの全体平面図である。
【図３】図１のコンバインの正面図である。
【図４】図１のコンバインにおける揚穀コンベア１４４とグレンタンク３０入口付近を拡大した右側面から見た内部模式図である。
【図５】図１のコンバインにおけるバケット式昇降機１４４上部の左側面図である。
【図６】図４のコンバインにおける別実施例の揚穀コンベア１４４とグレンタンク３０入口付近を拡大した右側面から見た内部模式図である。
【図７】図５のコンバインにおける別実施例のバケット式昇降機１４４上部の左側面図である。
【図８】従来のコンバインの揚穀コンベア内上部を示す左側面図である。
【符号の説明】
【００３７】
１８    脱穀部
２８    一番コンベア
３０    グレンタンク
１４４    揚穀コンベア（バケット式昇降機）
３００    後板
３０１    前板
３０２    側板
３０３，３０３ａ，３０４，３０９ａ    プーリ
３０５，３１２    ベルト
３０６    バケット
３０７    穀粒排出口
３０７ａ    喰切り部
３０８    穀粒投入口
３０９    レべリングディスク
３１０    回転軸
３１０ａ，３１１ａ    固定テンション
３１１ｂ    可動テンション
【図１】
2007151448.tif 000003
【図２】
2007151448.tif 000004
【図３】
2007151448.tif 000005
【図４】
2007151448.tif 000006
【図５】
2007151448.tif 000007
【図６】
2007151448.tif 000008
【図７】
2007151448.tif 000009
【図８】
2007151448.tif 000010